(57)【要約】【課題】空気調和装置の本体の外面に設けられる電気品箱において、電気品箱が大きくなるのをできるだけ抑えつつ、コンジット接続を可能にする。【解決手段】空気調和装置（１）の電気品箱（３０）は、筐体（３１）と、コンジット取り付け部材（４１）と、取り付け部材固着部材（４２）とを有している。筐体（３１）は、空気調和装置（１）の本体（１０）の外面に設けられており、電気品を収容する。コンジット取り付け部材（４１）には、筐体（３１）に引き込む電線を内部に挿通するコンジット（５５）の端部（５６）が取り付けられる。取り付け部材固着部材（４２）には、筐体（３１）の外面に設けられており、コンジット取り付け部材（４１）が固着される。そして、取り付け部材固着部材（４２）は、筐体（３１）の外方に向かって突出している。【選択図】図６
2013024455.tif 000002
【特許請求の範囲】
【請求項１】
空気調和装置（１）の本体（１０）の外面に設けられており、電気品を収容する筐体（３１）と、
前記筐体に引き込む電線を内部に挿通するコンジット（５５）の端部（５６）が取り付けられるコンジット取り付け部材（４１）と、
前記筐体の外面に設けられており、前記コンジット取り付け部材が固着される取り付け部材固着部材（４２）と、を備え、
前記取り付け部材固着部材（４２）は、前記筐体の外方に向かって突出している、
空気調和装置の電気品箱（３０）。
【請求項２】
前記取り付け部材固着部材（４２）は、前記筐体（３１）の内部と連通するコンジット端部収容空間（Ｓ２）を形成しており、
前記コンジット取り付け部材（４１）は、前記コンジット端部収容空間を覆うように前記取り付け部材固着部材に固着される、
請求項１に記載の空気調和装置の電気品箱（３０）。
【請求項３】
前記取り付け部材固着部材（４２）は、前記取り付け部材固着部材が設けられる前記筐体（３１）の外面である固着部材装着面（３５）に対して、斜め方向に突出している、
請求項１又は２に記載の空気調和装置の電気品箱（３０）。
【請求項４】
前記取り付け部材固着部材（４２）は、前記筐体（３１）が設けられる前記空気調和装置（１）の本体（１０）の外面である筐体装着面（２１ａ）から遠ざかる方向に突出している、
請求項３に記載の空気調和装置の電気品箱（３０）。
【請求項５】
前記空気調和装置（１）の本体（１０）は、吊りボルト（２３）によって天井に吊り下げられており、
前記筐体（３１）は、前記吊りボルトの近傍に設けられており、
前記固着部材装着面（３５）は、前記筐体の前記吊りボルトに最も近い外面であり、
前記取り付け部材固着部材（４２）は、前記空気調和装置の本体の平面視において、前記コンジット（５５）の端部（５６）の中心線（Ａ）が前記吊りボルトに重ならないように突出している、
請求項４に記載の空気調和装置の電気品箱（３０）。
【請求項６】
前記コンジット取り付け部材（４１）は、前記筐体装着面（２１ａ）から遠い側の部分が前記取り付け部材固着部材（４２）にネジ止めされており、前記筐体装着面に近い側の部分が前記取り付け部材固着部材に嵌め込まれている、
請求項５に記載の空気調和装置の電気品箱（３０）。
【請求項７】
前記筐体（３１）には、前記取り付け部材固着部材（４２）とは別に、前記電線を引き込むための電線引き込み孔（３５ｅ）が形成されており、
前記電線のうち強電電線（５３）は、前記コンジット（５５）、前記コンジット取り付け部材（４１）及び前記取り付け部材固着部材（４２）によって前記筐体に引き込まれ、
前記電線のうち弱電電線（５４）は、前記電線引き込み孔によって前記筐体に引き込まれる、
請求項１〜６のいずれか１項に記載の空気調和装置の電気品箱（３０）。
【発明の詳細な説明】
【技術分野】
【０００１】
本発明は、空気調和装置の電気品箱、特に、空気調和装置の本体の外面に設けられる電気品箱に対するコンジットの取り付け構造に関する。
【背景技術】
【０００２】
従来より、本体の外面に電気品箱が設けられる空気調和装置の一種として、特許文献１（特開２０１０−２５５３９号公報）に示すような全熱交換器を使用した空気調和装置がある。このような空気調和装置の電気品箱には、給電用や通信用の電線が引き込まれるようになっている。
【０００３】
また、従来より、国や地域によっては、電線をコンジットに挿通し、このコンジットを電気品箱に取り付けることによって電線を電気品箱に引き込む構造を使用することが要求される場合がある。例えば、特許文献２（特開２０１０−１０７１４０号公報）の空気調和装置の室内機のように、室内機の内部に配置された電気品箱に対して、コンジット取り付け部材を介してコンジットを取り付ける構造を使用することがある。
【発明の概要】
【発明が解決しようとする課題】
【０００４】
上記特許文献１に示すような、空気調和装置の本体の外面に設けられる電気品箱の構成において、コンジットに挿通された電線を電気品箱に引き込む構造を使用することが要求される場合を考える。
【０００５】
この場合には、まず、電気品箱とコンジットとを接続するための工具が入るスペースが必要となるため、電気品箱自体が大きくなるという問題がある。
【０００６】
また、コンジットの取り付け構造として、上記特許文献２に示すような、コンジット取り付け部材を介してコンジットを電気品箱に取り付ける構造を採用することが考えられる。
【０００７】
しかし、仮に、空気調和装置の本体の外面に設けられる電気品箱の構成において、このコンジットの取り付け構造を採用しただけでは、電気品箱の外部において、コンジットの端部及び電線が電気品箱の外部に露出した状態になるという問題がある。
【０００８】
このため、空気調和装置の本体の外面に設けられる電気品箱の構成において、コンジットに挿通された電線を電気品箱に引き込む構造を使用するためには、電気品箱の大型化やコンジットの端部及び電線の電気品箱の外部への露出をできるだけ抑える必要がある。
【０００９】
本発明の課題は、空気調和装置の本体の外面に設けられる電気品箱において、電気品箱が大きくなるのをできるだけ抑えつつ、コンジット接続を可能にすることにある。
【課題を解決するための手段】
【００１０】
第１の観点にかかる空気調和装置の電気品箱は、筐体と、コンジット取り付け部材と、取り付け部材固着部材とを有している。筐体は、空気調和装置の本体の外面に設けられており、電気品を収容する。コンジット取り付け部材には、筐体に引き込む電線を内部に挿通するコンジットの端部が取り付けられる。取り付け部材固着部材は、筐体の外面に設けられており、コンジット取り付け部材が固着される。そして、取り付け部材固着部材は、筐体の外方に向かって突出している。
【００１１】
この電気品箱では、コンジット取り付け部材にコンジットの端部を取り付けた後に、コンジット取り付け部材を取り付け部材固着部材に固着することによって、コンジットに挿通された電線を筐体に引き込むことができる。しかも、このとき、コンジットの端部の少なくとも一部は、筐体の外方に突出した取り付け部材固着部材内に収まることになる。このため、電気品箱とコンジットとを接続するための工具が入るスペースが不要となり、コンジットの端部及び電線が電気品箱の外部に露出した状態になるのを避けることができる。
【００１２】
これにより、電気品箱が大きくなるのをできるだけ抑えつつ、コンジット接続を可能にすることができる。
【００１３】
第２の観点にかかる空気調和装置の電気品箱は、第１の観点にかかる空気調和装置の電気品箱において、取り付け部材固着部材が、筐体の内部と連通するコンジット端部収容空間を形成している。コンジット取り付け部材は、コンジット端部収容空間を覆うように取り付け部材固着部材に固着される。
【００１４】
この電気品箱では、コンジットの端部が取り付けられたコンジット取り付け部材を取り付け部材固部材に固着すると、コンジットの端部の少なくとも一部が、コンジット端部収容空間内に収まる。しかも、このとき、コンジット端部収容空間は、コンジット取り付け部材によって覆われる。
【００１５】
第３の観点にかかる空気調和装置の電気品箱は、第１又は第２の観点にかかる空気調和装置の電気品箱において、取り付け部材固着部材が、取り付け部材固着部材が設けられる筐体の外面である固着部材装着面に対して、斜め方向に突出している。
【００１６】
この電気品箱では、コンジットの端部及び電線が筐体の固着部材装着面に対して斜め方向に引き込まれることになる。このため、コンジットの端部及び電線と筐体の内部に収容されている電気品との干渉をできるだけ避けることができる。
【００１７】
第４の観点にかかる空気調和装置の電気品箱は、第３の観点にかかる空気調和装置の電気品箱において、取り付け部材固着部材が、筐体が設けられる空気調和装置の本体の外面である筐体装着面から遠ざかる方向に突出している。
【００１８】
この電気品箱では、コンジットが空気調和装置の本体から遠ざかる方向に引き出されることになる。このため、取り付け部材固着部材へのアクセスが容易になり、コンジットの端部が取り付けられたコンジット取り付け部材を取り付け部材固着部材に固着する際の作業性を向上させることができる。
【００１９】
第５の観点にかかる空気調和装置の電気品箱は、第４の観点にかかる空気調和装置の電気品箱において、空気調和装置の本体が、吊りボルトによって天井に吊り下げられている。筐体は、吊りボルトの近傍に設けられている。固着部材装着面は、筐体の吊りボルトに最も近い外面である。取り付け部材固着部材は、空気調和装置の本体の平面視において、コンジットの端部の中心線が吊りボルトに重ならないように突出している。
【００２０】
この電気品箱では、コンジットが吊りボルトとの干渉を避けながら引き出されることになる。このため、筐体が吊りボルトの近傍に設けられているにもかかわらず、コンジットに挿通された電線を電気品箱に引き込む構造を使用することができる。
【００２１】
第６の観点にかかる空気調和装置の電気品箱は、第５の観点にかかる空気調和装置の電気品箱において、コンジット取り付け部材が、筐体装着面から遠い側の部分が取り付け部材固着部材にネジ止めされており、筐体装着面に近い側の部分が取り付け部材固着部材に嵌め込まれている。
【００２２】
この電気品箱では、コンジット取り付け部材を取り付け部材固着部材に固着する際に、コンジット取り付け部材の吊りボルトに遠い側の部分だけを取り付け部材固着部材にネジ止めすることになる。このため、筐体が吊りボルトの近傍に設けられているにもかかわらず、ネジ止めの際に吊りボルトが邪魔になりにくくなり、コンジット取り付け部材を取り付け部材固着部材に固着する際の作業性を向上させることができる。
【００２３】
第７の観点にかかる空気調和装置の電気品箱は、第１〜第６の観点のいずれかにかかる空気調和装置の電気品箱において、筐体には、取り付け部材固着部材とは別に、電線を引き込むための電線引き込み孔が形成されている。電線のうち強電電線は、コンジット、コンジット取り付け部材及び取り付け部材固着部材によって筐体に引き込まれている。電線のうち弱電電線は、電線引き込み孔によって筐体に引き込まれる。
【００２４】
この電気品箱では、給電用の電源線のような強電電線については、コンジットを介して筐体に引き込み、通信用の信号線のような弱電電線については、直接筐体に引き込むことができる。このため、電線を筐体へ引き込む際に、電線の種類に応じて適切に、筐体への電線の引き込みを行うことができる。
【発明の効果】
【００２５】
以上の説明に述べたように、本発明によれば、以下のような効果が得られる。
【００２６】
第１及び第２の観点にかかる空気調和装置の電気品箱では、電気品箱が大きくなるのをできるだけ抑えつつ、コンジット接続を可能にすることができる。
【００２７】
第３の観点にかかる空気調和装置の電気品箱では、コンジットの端部及び電線と筐体の内部に収容されている電気品との干渉をできるだけ避けることができる。
【００２８】
第４の観点にかかる空気調和装置の電気品箱では、取り付け部材固着部材へのアクセスが容易になり、コンジットの端部が取り付けられたコンジット取り付け部材を取り付け部材固着部材に固着する際の作業性を向上させることができる。
【００２９】
第５の観点にかかる空気調和装置の電気品箱では、筐体が吊りボルトの近傍に設けられているにもかかわらず、コンジットに挿通された電線を電気品箱に引き込む構造を使用することができる。
【００３０】
第６の観点にかかる空気調和装置の電気品箱では、筐体が吊りボルトの近傍に設けられているにもかかわらず、ネジ止めの際に吊りボルトが邪魔になりにくくなり、コンジット取り付け部材を取り付け部材固着部材に固着する際の作業性を向上させることができる。
【００３１】
第７の観点にかかる空気調和装置の電気品箱では、電線を筐体へ引き込む際に、電線の種類に応じて適切に、筐体への電線の引き込みを行うことができる。
【図面の簡単な説明】
【００３２】
【図１】本発明にかかる電気品箱が採用された空気調和装置を示す斜視図である。
【図２】本発明にかかる電気品箱が採用された空気調和装置を示す平面図である。
【図３】コンジットが取り付けられた状態の電気品箱を示す斜視図である。
【図４】コンジットが取り付けられた状態の電気品箱を示す平面図である。
【図５】筐体を開いた状態の電気品箱の内部を示す図である。
【図６】コンジットの取り付け構造を分解した状態の電気品箱を示す分解斜視図である。
【図７】コンジットの取り付け構造付近を拡大した平面断面図である。
【発明を実施するための形態】
【００３３】
以下、本発明にかかる空気調和装置の電気品箱の実施形態について、図面に基づいて説明する。
【００３４】
＜空気調和装置の全体構成＞
図１は、本発明にかかる電気品箱３０が採用された空気調和装置１を示す斜視図である。図２は、本発明にかかる電気品箱３０が採用された空気調和装置１を示す平面図である。空気調和装置１は、全熱交換器２０を使用した天井埋込ダクト型のユニットである。尚、以下の説明で使用する「前」、「背」、「上」、「下」、「左」、「右」は、特にことわりのない限り、図１の紙面右前方を向く側を「前」とし、紙面左後方を向く側を「背」とする。そして、「上」、「下」、「左」、「右」は、空気調和装置１を図１の紙面右前方を向く側から見た状態を基準とする。
【００３５】
空気調和装置１は、居室の天井裏に配置されており、主として、本体１０と、電気品箱３０とを有している。
【００３６】
本体１０は、扁平な直方体形状の本体ケーシング１１を有している。
【００３７】
本体１０の外面をなす本体ケーシング１１の前面１２には、外気吸込ダクト（図示せず）が接続される外気吸込口１３、及び、排気ダクト（図示せず）が接続される排気口１４が設けられている。本体１０の外面をなす本体ケーシング１１の外面の背面１５には、内気吸込ダクト（図示せず）が接続される内気吸込口１６、及び、給気ダクト（図示せず）が接続される給気口１７が設けられている。
【００３８】
本体ケーシング１１の内部空間は、ここでは図示しないが、給気側通路と排気側通路とに仕切られている。給気側通路は、外気吸込口１３及び給気口１７とを連通している。排気側通路は、内気吸込口１６と排気口１４とを連通している。給気側通路には、給気ファン１８が設けられている。排気側通路には、排気ファン１９が設けられている。本体ケーシング１１の内部空間には、給気側通路と排気側通路とに跨って、全熱交換器２０が設けられている。全熱交換器２０は、本体１０の外面をなす本体ケーシング１１の側面２１、２２側の端面が略正方形の直方体形状をなしている。全熱交換器２０では、平板部材（図示せず）と波形部材（図示せず）とが交互に積層された構造を有している。全熱交換器２０は、外気を流すための給気流路と内気を流すための排気流路とが、平板部材を挟んで交互に形成されており、給気流路と排気流路とが互いに直交する直交流型の熱交換器を構成している。全熱交換器２０の平板部材は、紙等の透湿性を有する材料で構成されている。全熱交換器２０では、給気流路を流れる外気と排気流路を流れる内気との間において、熱及び水分が移動するようになっている。尚、給気流路は、給気側通路に連通しており、排気流路は、排気側通路に連通している。
【００３９】
このように、本体１０は、各種機器１８〜２０等が本体ケーシング１１の内部空間に設けられることによって構成されている。そして、本体１０は、吊りボルト２３によって天井（図示せず）に吊り下げられている。具体的には、本体１０の平面視における角部（ここでは、本体１０の外面をなす側面２１、２２の前面側端部及び背面側端部）には、左右方向に突出するように吊り金具２４が設けられている。そして、天井から鉛直方向に向かって延びる吊りボルト２３が、ナット２５によって吊り金具２４に固定されている。
【００４０】
電気品箱３０は、本体１０の外面に設けられている。ここでは、電気品箱３０は、本体１０の外面をなす本体ケーシング１１の左側面２１に設けられている。具体的には、電気品箱３０は、左側面２１のうち前面１２寄りの部分である筐体装着面２１ａに設けられている。すなわち、電気品箱３０は、吊りボルト２３の近傍に設けられている。また、左側面２１のうち筐体装着面２１ａよりも背面１５寄りの全熱交換器２０の端面に対向する部分は、熱交点検蓋２１ｂになっている。このため、全熱交換器２０は、熱交点検蓋２１ｂだけを取り外すことによって、メンテナンス等を行うことができるようになっている。尚、電気品箱３０が設けられる本体１０の外面は、左側面２１に限定されるものではなく、例えば、左側面２１の背面１５寄りの部分や、右側面２２の前面１２又は背面１５寄りの部分に設けるようにしてもよい。
【００４１】
＜電気品箱の構成及び特徴＞
図３は、コンジット５５が取り付けられた状態の電気品箱３０を示す斜視図である。図４は、コンジット５５が取り付けられた状態の電気品箱３０を示す平面図である。図５は、筐体３１を開いた状態の電気品箱３０の内部を示す図である。図６は、コンジット５５の取り付け構造を分解した状態の電気品箱３０を示す分解斜視図である。図７は、コンジット５５の取り付け構造付近を拡大した平面断面図である。尚、以下の説明では、特にことわりのない限り、電気品箱３０の筐体３１を開いていない状態を基準とする。
【００４２】
電気品箱３０は、上記のように、空気調和装置１の本体１０の外面（ここでは、左側面２１のうち前面１２寄りの部分である筐体装着面２１ａ）に設けられており、その内部空間Ｓ１に端子台５１や制御基板５２等の電気品を収容している。電気品箱３０は、主として、筐体３１を有している。
【００４３】
筐体３１は、本体ケーシング１１の筐体装着面２１ａ側の面が開口した略直方体形状の箱体であり、主として、上板３２と、下板３３と、左板３４と、前板３５と、背板３６とを有している。上板３２は、筐体３１の上面を構成する略長方形状の板状部材である。下板３３は、筐体３１の下面を構成する略長方形状の板状部材である。左板３４、前板３５及び背板３６は、それぞれ、筐体３１の側面を構成する略長方形状の板状部材である。左板３４は、筐体３１の平面視において、本体ケーシング１１の筐体装着面２１ａに平行な面を構成している。前板３５及び背板３６は、筐体３１の平面視において、本体ケーシング１１の筐体装着面２１ａに略直交する面を構成している。前板３５は、吊りボルト２３に近い側に配置されており、背板３６は、吊りボルト２３から遠い側に配置されている。そして、上板３２、下板３３、左板３４、前板３５及び背板３６によって、内部空間Ｓ１が形成されている。また、前板３５の前端には、筐体装着面２１ａに沿って延びる装着部３５ａが形成されており、背板３６の背端には、筐体装着面２１ａに沿って延びる装着部３６ａが形成されている。そして、筐体３１は、前板３５の装着部３５ａ及び背板３６の装着部３６ａにおいて、ネジ３８によって筐体装着面２１ａに固定されている。また、上板３２、下板３３、左板３４及び背板３６は、一体の蓋体３１ａを構成しており、前板３５に軸支されている。具体的には、前板３５には、その上端及び下端に上板３２及び下板３３に沿って延びる軸支部３５ｂ、３５ｃが形成されている。そして、軸支部３５ｂ、３５ｃと上板３２及び下板３３の左前側の角部とが、鉛直方向に延びる軸３８によって軸支されている。これにより、蓋体３１ａは、背板３６の装着部３６ａのネジ３８を取り外した状態において、軸３８を中心として、左板３４が前側を向き、かつ、背板３６が左側を向くように開くことができるようになっている。
【００４４】
また、電気品箱３０には、給電用や通信用の電線５３、５４が引き込まれている。具体的には、電気品箱３０には、電源線等の強電電線５３、及び、リモコン（図示せず）からの信号線等の弱電電線５４が引き込まれている。電線５３、５４は、電気品箱３０の内部空間Ｓ１において、端子台５１や制御基板５２に接続されている。そして、ここでは、電気品箱３０において、空気調和装置１が設置される国や地域等の要求によって、強電電線５３をコンジット５５に挿通し、コンジット５５を電気品箱３０に引き込む構造を使用している。
【００４５】
電気品箱３０は、コンジット５５を電気品箱３０に引き込む構造として、主として、コンジット取り付け部材４１と、取り付け部材固着部材４２とを有している。
【００４６】
コンジット取り付け部材４１は、筐体３１に引き込む電線５３を内部に挿通するコンジット５５の端部５６が取り付けられる部材である。具体的には、コンジット取り付け部材４１は、板状の部材であり、コンジット５５の端部５６のネジ部５６ａの外径よりも大きく、かつ、ナット部５６ｂの外径よりも小さいコンジット挿入孔４１ａが形成されている。そして、コンジット５５の端部５６をコンジット挿入孔４１ａに挿入した状態で、コンジット５５の端部５６の先端から締め付けナット５７を螺着することによって、コンジット５５の端部５６がコンジット取り付け部材４１に取り付けられる。
【００４７】
取り付け部材固着部材４２は、筐体３１の外面に設けられており、コンジット取り付け部材４１が固着される。具体的には、取り付け部材固着部材４２は、筐体３１の外面のうち筐体３１の吊りボルト２３に最も近い側面である固着部材装着面としての前板３５に設けられている。固着部材装着面としての前板３５には、略長方形状の固着部材装着孔３５ｄが形成されており、この固着部材装着孔３５ｄに取り付け部材固着部材４２が溶接等によって装着されている。そして、取り付け部材固着部材４２は、筐体３１の外方に向かって突出している。具体的には、取り付け部材固着部材４２は、固着部材装着孔３５ｄの周縁から筐体３１の外方に向かって延びる筒状部４３と、筒状部４３を覆う平板部４４とを有している。平板部４４には、コンジット５５の端部５６の外径よりも大きいコンジット引き込み孔４４ａがコンジット挿入孔４１ａに対向するように形成されている。そして、取り付け部材固着部材４２には、筐体３１の内部空間Ｓ１と連通するコンジット端部収容空間Ｓ２が形成されている。尚、コンジット取り付け部材４１は、コンジット引き込み孔４４ａを含むコンジット端部収容空間Ｓ２を覆うように固着される。
【００４８】
このような電気品箱３０では、コンジット取り付け部材４１にコンジット５５の端部５６を取り付けた後に、コンジット取り付け部材４１を取り付け部材固着部材４２に固着することによって、コンジット５５に挿通された電線５３を筐体３１に引き込むことができる。しかも、このとき、コンジット５５の端部５６の少なくとも一部は、筐体３１の外方に突出した取り付け部材固着部材４２内に収まることになる。具体的には、コンジット５５の端部５６が取り付けられたコンジット取り付け部材４１を取り付け部材固部材４２に固着すると、コンジット５５の端部５６の少なくとも一部が、コンジット端部収容空間Ｓ２内に収まる。しかも、このとき、コンジット端部収容空間Ｓ２は、コンジット取り付け部材４１によって覆われる。このため、電気品箱３０とコンジット５５とを接続するための工具が入るスペースが不要となり、コンジット５５の端部５６及び電線５３が電気品箱３０の外部に露出した状態になるのを避けることができる。これにより、電気品箱３０が大きくなるのをできるだけ抑えつつ、コンジット接続を可能にすることができる。
【００４９】
また、電気品箱３０では、取り付け部材固着部材４２が、取り付け部材固着部材４２が設けられる筐体３１の外面である固着部材装着面（すなわち、前板３５）に対して、斜め方向に突出している。ここで、「斜め方向に突出」とは、電気品箱３０の平面視において、平板部４４の外方を向く面が筐体３１の外面から突出するとともに、平板部４４の外方を向く面に対して垂直な面が斜め方向を向いていることを意味する。特に、ここでは、取り付け部材固着部材４２は、筐体３１が設けられる空気調和装置１の本体１０の外面である筐体装着面２１ａから遠ざかる方向に突出している。
【００５０】
このような電気品箱３０では、コンジット５５の端部５６及び電線５３が筐体３１の固着部材装着面（すなわち、前板３５）に対して斜め方向に引き込まれることになる。このため、コンジット５５の端部５６及び電線５３と筐体３１の内部に収容されている電気品５１、５２との干渉をできるだけ避けることができる。特に、ここでは、コンジット５５が空気調和装置１の本体１０から遠ざかる方向に引き出されることになる。このため、取り付け部材固着部材４２へのアクセスが容易になり、コンジット５５の端部５６が取り付けられたコンジット取り付け部材４１を取り付け部材固着部材４２に固着する際の作業性を向上させることができる。
【００５１】
また、電気品箱３０では、取り付け部材固着部材４２が、空気調和装置１の本体１０の平面視において、コンジット５５の端部５６の中心線Ａが吊りボルト２３に重ならないように突出している。特に、ここでは、取り付け部材固着部材４２が、コンジット５５の端部５６の外形線Ｂが吊りボルト２３に重ならないように突出している。
【００５２】
このような電気品箱３０では、コンジット５５が吊りボルト２３との干渉を避けながら引き出されることになる。特に、ここでは、コンジット５５の端部５６の外形線Ｂが吊りボルト２３に重ならないように突出しているため、確実に吊りボルト２３との干渉を避けることができる。このため、筐体３１が吊りボルト２３の近傍に設けられているにもかかわらず、コンジット５５に挿通された電線５３を電気品箱３０に引き込む構造を使用することができる。
【００５３】
また、電気品箱３０では、コンジット取り付け部材４１が、筐体装着面２１ａから遠い側の部分４１ｂが取り付け部材固着部材４２にネジ止めされており、筐体装着面２１ａに近い側の部分４１ｃが取り付け部材固着部材４２に嵌め込まれている。具体的には、筐体装着面２１ａから遠い側の部分４１ｂ、及び、この部分４１ｂに対向する取り付け部材固着部材４２の部分４４ｂには、ネジ孔４１ｄ、４４ｄが形成されている。そして、ネジ５８によって、コンジット取り付け部材４１の筐体装着面２１ａから遠い側の部分４１ｂが取り付け部材固着部材４２に固着されている。また、筐体装着面２１ａから遠い側の部分４１ｃには、取り付け部材固着部材４２のコンジット引き込み孔４４ａの縁部に嵌る段差部４１ｅが形成されている、そして、段差部４１ｅによって、コンジット取り付け部材４１筐体装着面２１ａに近い側の部分４１ｃが取り付け部材固着部材４２に固着されている。
【００５４】
このような電気品箱３０では、コンジット取り付け部材４１を取り付け部材固着部材４２に固着する際に、コンジット取り付け部材４１の吊りボルト２３に遠い側の部分４１ｂだけを取り付け部材固着部材４２にネジ止めすることになる。このため、筐体３１が吊りボルト２３の近傍に設けられているにもかかわらず、ネジ止めの際に吊りボルト２３が邪魔になりにくくなり、コンジット取り付け部材４１を取り付け部材固着部材４２に固着する際の作業性を向上させることができる。
【００５５】
また、電気品箱３０では、強電電線５３とは別に、弱電電線５４を電気品箱３０に引き込む構造を使用している。具体的には、筐体３１において、取り付け部材固着部材４２とは別に、電線５４を引き込むための電線引き込み孔３５ｅが形成されている。ここでは、電線引き込み孔３５ｅは、前板３５の取り付け部材固着部材４２の下側に形成されている。そして、電線５４は、電線引き込み孔３５ｅによって筐体３１に引き込まれるようになっている。
【００５６】
このような電気品箱３０では、給電用の電源線のような強電電線５３については、コンジット５５を介して筐体３１に引き込み、通信用の信号線のような弱電電線５４については、直接筐体３１に引き込むことができる。このため、電線を筐体３１へ引き込む際に、電線の種類に応じて適切に、筐体３１への電線の引き込みを行うことができる。
【００５７】
＜他の実施形態＞
以上、本発明の実施形態について図面に基づいて説明したが、具体的な構成は、これらの実施形態に限られるものではなく、発明の要旨を逸脱しない範囲で変更可能である。
【００５８】
上記実施形態では、全熱交換器を使用した空気調和装置の電気品箱に本発明を適用した例を説明したが、これに限定されるものではない。例えば、ダクトを通じて吸い込んだ内気を熱交換器によって冷却や加熱を行った後にダクトを通じて居室内に給気するダクト型の空気調和装置等にも適用可能である。
【産業上の利用可能性】
【００５９】
本発明は、空気調和装置の本体の外面に設けられる電気品箱に対して広く適用可能である。
【符号の説明】
【００６０】
１          空気調和装置
１０        本体
３１        筐体
５３、５４  電線
５５        コンジット
５６        端部
４１        コンジット取り付け部材
４２        取り付け部材固着部材
３０        電気品箱
Ｓ２        コンジット端部収容空間
３５        固着部材装着面
２１ａ      筐体装着面
２３        吊りボルト
３５ｅ      電線引き込み孔
Ａ          中心線
【先行技術文献】
【特許文献】
【００６１】
【特許文献１】特開２０１０−２５５３９号
【特許文献２】特開２０１０−１０７１４０号公報
【図１】
2013024455.tif 000003
【図２】
2013024455.tif 000004
【図３】
2013024455.tif 000005
【図４】
2013024455.tif 000006
【図５】
2013024455.tif 000007
【図６】
2013024455.tif 000008
【図７】
2013024455.tif 000009